(57)【要約】【課題】低コストで製作できる回動式ハンドルのスイッチを使用してハンドルが不要にオフ操作されないようにすることができるとともに通常使用時の外観を向上することができるコンセントを提供する。【解決手段】電源プラグの栓刃を接続するための受刃への給電を電路の異常発生時に遮断するスイッチを備え、スイッチを操作するための回動式のハンドル５をケース２の表面２ａに露出して成るコンセントにおいて、ハンドル５はオン時に操作部５ｃの表示面５ｄがケース２の表面２ａと略面一となり、オフ時に操作部５ｃがケース２の表面２ａから突出するとともに、ハンドル５のオン時に手動によるオフ操作ができないようにハンドル５の操作部５ｃの外周面とケース２の凹部２ｂの壁面との隙間を少なくする。【選択図】図１
2006286374.tif 000002
【特許請求の範囲】
【請求項１】
電源プラグの栓刃を接続するための受刃への給電を電路の異常発生時に遮断するスイッチを備え、該スイッチを操作するための回動式のハンドルをケースの表面に露出して成るコンセントにおいて、前記ハンドルはオン時にケースの表面と略面一となり、オフ時に前記ケースの表面から突出するとともに、前記ハンドルのオン時に手動によるオフ操作ができないように前記ケースとの隙間を少なくしたことを特徴とするコンセント。
【請求項２】
前記電路に擬似的に異常を発生させるテスト回路を備えたことを特徴とする請求項１に記載のコンセント。
【請求項３】
前記ハンドルがオン位置で拘束されていても電路の異常発生時に前記スイッチが遮断動作するようにしたことを特徴とする請求項１又は請求項２に記載のコンセント。
【発明の詳細な説明】
【技術分野】
【０００１】
本発明は、電路の異常を検出して遮断するスイッチを備えたコンセントに関する。
【背景技術】
【０００２】
従来、電源プラグの栓刃を接続するための受刃への給電を電路の異常発生時に遮断するスイッチを備えたコンセントは、スイッチの操作部が回動式ハンドルのものと押しボタンのものがあった。スイッチの操作部が回動式ハンドルの場合は、ハンドルがオン位置でもオフ位置でもケースの表面から突出するように設けられ、いつでもスイッチのオン・オフができるようになっていた（例えば、特許文献１参照。）。また、スイッチの操作部が押しボタンの場合は、押しボタンがオン位置でケースの表面と略面一となり、オフ位置でケースの表面から突出するように設けられ、手動によりオン操作はできるが、オフ操作はできないようになっていた（例えば、特許文献２参照。）。
【０００３】
【特許文献１】特開２０００−２３１９６５号公報（第２図）
【特許文献２】特開平１０−１４４４０９号公報（第６図）
【発明の開示】
【発明が解決しようとする課題】
【０００４】
電路の異常発生時に遮断するスイッチは、遮断動作する際に開閉接点や開閉機構部が消耗するので手動によりオフ操作できない方が良いため、いつでもスイッチのオン・オフができる回動式のハンドルは、ものや人が接触して不要にオフ操作されることもあり、好ましくなかった。而も回動式ハンドルの場合は、ハンドルがオン位置でもオフ位置でもケースの表面から突出するので見栄えが悪いという欠点があった。また、押しボタン式のスイッチはオフ操作ができない上に、オン位置でケースの表面と略面一になるので見栄えも良いが、開閉機構部の構造が複雑になるため、コストがかかるという欠点があった。
【課題を解決するための手段】
【０００５】
本発明は、請求項１に記載の発明によれば、電源プラグの栓刃を接続するための受刃への給電を電路の異常発生時に遮断するスイッチを備え、スイッチを操作するための回動式のハンドルをケースの表面に露出して成るコンセントにおいて、ハンドルはオン時にケースの表面と略面一となり、オフ時にケースの表面から突出するとともに、ハンドルのオン時に手動によるオフ操作ができないようにケースとの隙間を少なくしたことを特徴とする。
【０００６】
請求項２に記載の発明によれば、請求項１に記載のコンセントにおいて、電路に擬似的に異常を発生させるテスト回路を備えたことを特徴とする。
【０００７】
請求項３に記載の発明によれば、請求項１又は請求項２に記載のコンセントにおいて、ハンドルがオン位置で拘束されていても電路の異常発生時にスイッチが遮断動作するようにしたことを特徴とする。
【発明の効果】
【０００８】
請求項１に記載の発明によれば、低コストで製作できる回動式ハンドルのスイッチを使用してハンドルが不要にオフ操作されないようにすることができるとともに通常使用時の外観を向上することができるという効果がある。
【０００９】
請求項２に記載の発明によれば、スイッチが正常に動作するかどうかの確認ができるとともに、ハンドルをオフしたい場合に利用することができるという効果がある。
【００１０】
請求項３に記載の発明によれば、コンセントのハンドルの前面に障害物が存在する場合でも電路の異常から負荷機器を保護することができるという効果がある。
【発明を実施するための最良の形態】
【００１１】
電源プラグの栓刃を接続するための受刃への給電を電路の異常発生時に遮断するスイッチを備え、スイッチを操作するための回動式のハンドルをケースの表面に露出して成るコンセントにおいて、ハンドルはオン時に操作部の表示面がケースの表面と略面一となり、オフ時に操作部がケースの表面から突出するとともに、ハンドルのオン時に手動によるオフ操作ができないようにハンドルの操作部の外周面とケースの凹部の壁面との隙間を少なくする。
【実施例１】
【００１２】
本発明に係るコンセントの実施例１を図１及び図２の添付図面に基づいて説明する。
【００１３】
コンセント１は、直方体状に形成された樹脂製のケース２の前面に電源プラグの栓刃（図示せず）が挿入される一対の栓刃挿入口３が中央と下部の二箇所に設けられ、栓刃挿入口３の内側には電源プラグの栓刃を接続する受刃（図示せず）が配設されている。二個の受刃はケース２の背面に接続される配線（図示せず）を通して給電されるようになっている。
【００１４】
また、ケース２の上部には受刃への給電時にトラッキングや漏電などの異常から電路を保護するためのスイッチが設けられ、スイッチのハンドル５はケース２の前面に露出するようにして上下方向に回動自在に設けられている。ハンドル５は回動自在に軸支される軸部５ａを中心に有する円状部５ｂと、円状部５ｂの接線上に延設される操作部５ｃとで構成されている。操作部５ｃは表面に「ＯＮ」の表示がされ、この表示面５ｄがケース２の表面２ａと略面一となるように操作部５ｃがケース２の凹部２ｂに嵌まるように設けられ、更にオン位置において操作部５ｃの外周面とケース２の凹部２ｂの壁面との隙間を少なくしている。
【００１５】
このように形成されたコンセント１はスイッチのハンドル５をオンにして使用し、オン時にはハンドル５の操作部５ｃがケース表面２ａと略面一となるので見栄えが良い。また、ハンドル５の操作部５ｃとケース２との隙間が少ないので指が入らず、不要なオフ操作ができないようになっている。
【００１６】
そして、スイッチは電路の異常を検出すると遮断動作する。遮断動作するとハンドル５が図２の矢印方向に回動して破線で示すように操作部５ｃがケース表面２ａから突出する。このため、視覚的にスイッチのオフを確認することができる。ハンドル５はオン位置で拘束されいても電路の異常発生時にスイッチが遮断動作するようになっているので、ハンドル５の前面に障害物が存在する場合でも電路の異常からコンセント１に接続された負荷機器を保護することができる。また、電路に擬似的に異常を発生させるテスト回路（図示せず）が備えられ、テスト回路のテストボタン６をケース２の表面２ａから突出しないように設けている。このテストボタン６を押すことにより電路に擬似的に異常が発生し、スイッチはこれを検出して遮断動作する。これにより、スイッチが正常に動作するかどうかの確認ができるとともに、ハンドル５をオフしたい場合にも利用することができる。
【００１７】
尚、ハンドル５がオフした後は、異常の原因を排除した後でハンドル５の操作部５ｃをケース２の凹部２ｂに押し込むように回動させてスイッチをオンにして復帰する。
【図面の簡単な説明】
【００１８】
【図１】本発明に係るコンセントを示す正面図である。
【図２】本発明に係るコンセントを示す要部を破断した右側面図である。
【符号の説明】
【００１９】
２    ケース
２ａ    ケース表面
２ｂ    凹部
５    ハンドル
５ａ    軸部
５ｂ    円状部
５ｃ    操作部
５ｄ    表示面
【図１】
2006286374.tif 000003
【図２】
2006286374.tif 000004